【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
計算機からデータが書き込まれる複数の第一の論理ディスクを有する第一のシステムと、
前記第一のシステムに接続され、複数の第二の論理ディスクを有する第二のシステムと、
前記第一のシステムに接続され、複数の第三の論理ディスクを有する第三のシステムと、
コピーグループ管理部とを有するシステムにおける、リモートコピーの制御方法であって、
前記第一のシステムと前記第二のシステムとの間には、各々コピー元である第一の論理ディスク及びコピー先である第二の論理ディスクを有する同期タイプのリモートコピーペアが複数構成されており、当該複数の同期タイプのリモートコピーペアにおいては、第一のシステムから第二のシステムへ送信されるデータが更新順序の整合性を維持しつつ複数の第二の論理ディスクのいずれかに格納され、
前記コピーグループ管理部は、前記複数の同期タイプのリモートコピーペアを同期タイプのコピーグループとして管理し、
前記第一のシステムと前記第三のシステムとの間には、各々コピー元である第一の論理ディスク及びコピー先である第三の論理ディスクを有する非同期タイプのリモートコピーペアが複数構成されており、当該複数の非同期タイプのリモートコピーペアにおいては、第一のシステムから第三のシステムへ送信されるデータが更新順序の整合性を維持しつつ複数の第三の論理ディスクのいずれかに格納され、
前記コピーグループ管理部は、前記複数の非同期タイプのリモートコピーペアを非同期タイプのコピーグループとして管理し、
前記コピーグループ管理部が、いずれかの第一の論理ディスクに関するリモートコピー処理の障害通知を受信すると、
前記コピーグループ管理部は、前記障害通知が、前記第一の論理ディスクを有する同期タイプのリモートコピーペア及び前記第一の論理ディスクを有する非同期タイプのリモートコピーペアの内、いずれのリモートコピーペアにおけるリモートコピー処理に関するものであるかを特定するための情報を取得し、
前記情報を用いて特定されるリモートコピーペアと同じコピーグループに属する他のリモートコピーペアのリモートコピー処理を停止するために、前記コピーグループ管理部は、前記情報を用いて、前記同期タイプのコピーグループ若しくは前記非同期タイプのコピーグループのいずれに属するリモートコピーペアのリモートコピー処理を停止すべきかを決定することを特徴とするリモートコピーの制御方法。
【請求項２】
請求項１記載のリモートコピーの制御方法であって、
前記障害通知には、障害に係るリモートコピーペアに含まれるコピー先論理ディスクを特定するための情報が含まれており、
前記コピーグループ管理部は、前記コピー先論理ディスクを特定するための情報を取得して、前記同期タイプのコピーグループ若しくは前記非同期タイプのコピーグループのいずれに属するリモートコピーペアのリモートコピー処理を停止すべきかを決定することを特徴とするリモートコピーの制御方法。
【請求項３】
請求項１記載のリモートコピーの制御方法であって、
前記コピーグループ管理部が前記同期タイプのコピーグループに属するリモートコピーペアのリモートコピー処理を停止する旨を決定した場合に、
前記コピーグループ管理部は、当該同期タイプのコピーグループに属する同期タイプのリモートコピーペアを特定し、特定された同期タイプのリモートコピーペアに関するリモートコピー処理を、データの更新順序の整合性を維持しつつ停止するよう前記第一のシステムに指示することを特徴とするリモートコピーの制御方法。
【請求項４】
請求項３記載のリモートコピーの制御方法であって、
前記コピーグループ管理部は、前記第一のシステムに前記同期タイプのリモートコピーペアに関するリモートコピー処理を停止するよう指示する場合に、前記同期タイプのリモートコピーペアに属する第一の論理ディスクに対する書き込み要求の処理を保留するよう前記第一のシステムに指示し、当該書き込み要求の処理が保留されたことを確認した後に、前記同期タイプのリモートコピーペアに関するリモートコピー処理を停止するよう前記第一のシステムに指示することを特徴とするリモートコピーの制御方法。
【請求項５】
請求項４記載のリモートコピーの制御方法であって、
前記第一のシステムには、各々第一の論理ディスクを有する複数の第一のストレージシステムが含まれており、
前記第二のシステムには、各々第二の論理ディスクを有する複数の第二のストレージシステムが含まれており、
前記第三のシステムには、各々第三の論理ディスクを有する複数の第三のストレージシステムが含まれており、
前記コピーグループ管理部は、前記第一のシステムに前記同期タイプのリモートコピーペアに関するリモートコピー処理を停止するよう指示する場合に、前記同期タイプのコピーグループに属する同期タイプのリモートコピーペアを構成する第一の論理ディスクを有する第一のストレージシステムに対して、当該第一の論理ディスクに対する書き込み要求の処理を保留するよう指示し、当該指示を行った全ての第一のストレージシステムから当該指示に対する完了報告を受信した後に、前記第一のストレージシステムに対して前記同期タイプのリモートコピーペアに関するリモートコピー処理を停止するよう指示することを特徴とするリモートコピーの制御方法。
【請求項６】
請求項５記載のリモートコピーの制御方法であって、
前記コピーグループ管理部から書き込み要求の処理を保留するよう指示された第一のストレージシステムは、当該指示を受ける前に受信した前記第一の論理ディスクに対する書き込み要求の処理は実行し、当該指示を受けた後に受信した前記第一の論理ディスクに対する書き込み要求の処理は保留して、前記コピーグループ管理部に完了報告を送信することを特徴とするリモートコピーの制御方法。
【請求項７】
請求項１記載のリモートコピーの制御方法であって、
前記同期タイプのコピーグループに属する複数のリモートコピーペアに関するリモートコピー処理の停止方法と、前記非同期タイプのコピーグループに属する複数のリモートコピーペアに関するリモートコピー処理の停止方法とは異なることを特徴とするリモートコピーの制御方法。
【請求項８】
複数の第一の論理ディスクを有する第一のシステムと、
前記第一のシステムに接続され、複数の第二の論理ディスクを有する第二のシステムと、
前記第一のシステムに接続され、複数の第三の論理ディスクを有する第三のシステムと、
コピーグループ管理部とを有しており、
前記第一のシステムと前記第二のシステムとの間には、各々コピー元である第一の論理ディスク及びコピー先である第二の論理ディスクを有する同期タイプのリモートコピーペアが複数構成されており、当該複数の同期タイプのリモートコピーペアにおいては、第一のシステムから第二のシステムへ送信されるデータが更新順序の整合性を維持しつつ複数の第二の論理ディスクのいずれかに格納され、
前記コピーグループ管理部は、前記複数の同期タイプのリモートコピーペアを有する同期タイプのコピーグループを管理し、
前記第一のシステムと前記第三のシステムとの間には、各々コピー元である第一の論理ディスク及びコピー先である第三の論理ディスクを有する非同期タイプのリモートコピーペアが複数構成されており、当該複数の非同期タイプのリモートコピーペアにおいては、第一のシステムから第三のシステムへ送信されるデータが更新順序の整合性を維持しつつ複数の第三の論理ディスクのいずれかに格納され、
前記コピーグループ管理部は、前記複数の非同期タイプのリモートコピーペアを有する非同期タイプのコピーグループを管理し、
前記コピーグループ管理部が、いずれかの第一の論理ディスクに関するリモートコピー処理の障害通知を受信すると、
前記コピーグループ管理部は、前記障害通知が、前記第一の論理ディスクを有する同期タイプのリモートコピーペア及び前記第一の論理ディスクを有する非同期タイプのリモートコピーペアの内、いずれのリモートコピーペアにおけるリモートコピー処理に関するものであるかを特定するための情報を取得し、
前記情報を用いて特定されるリモートコピーペアと同じコピーグループに属する他のリモートコピーペアのリモートコピー処理を停止するために、前記コピーグループ管理部は、前記情報を用いて、前記同期タイプのコピーグループ若しくは前記非同期タイプのコピーグループのいずれに属するリモートコピーペアのリモートコピー処理を停止すべきかを決定し、
前記同期タイプのコピーグループに属するリモートコピーペアのリモートコピー処理を停止する場合に、前記コピーグループ管理部は、当該同期タイプのコピーグループに属する同期タイプのリモートコピーペアを特定し、特定された同期タイプのリモートコピーペアに関するリモートコピー処理を、データの更新順序の整合性を維持しつつ停止するよう前記第一のシステムに指示することを特徴とするリモートコピーシステム。
【請求項９】
請求項８記載のリモートコピーシステムであって、
前記障害通知には、障害に係るリモートコピーペアに含まれるコピー先論理ディスクを特定するための情報が含まれており、
前記コピーグループ管理部は、前記コピー先論理ディスクを特定するための情報を取得して、前記同期タイプのコピーグループ若しくは前記非同期タイプのコピーグループのいずれに属するリモートコピーペアのリモートコピー処理を停止すべきかを決定することを特徴とするリモートコピーシステム。
【請求項１０】
請求項８記載のリモートコピーシステムであって、
前記コピーグループ管理部は、前記第一のシステムに前記同期タイプのリモートコピーペアに関するリモートコピー処理を停止するよう指示する場合に、前記同期タイプのリモートコピーペアに属する第一の論理ディスクに対する書き込み要求の処理を保留するよう前記第一のシステムに指示し、当該書き込み要求の処理が保留されたことを確認した後に、前記同期タイプのリモートコピーペアに関するリモートコピー処理を停止するよう前記第一のシステムに指示することを特徴とするリモートコピーシステム。